(57)【要約】      （修正有）【課題】叩き掛け等の乱暴な取り扱いにも耐えられる強靭かつ軽量な構成で、使用勝手がよく安全な墜落防止用フックを提供する。【解決手段】墜落防止用フック１は、先端に鉤部２１と基端に環状部２２を備えるフック本体２と、フック本体２の鉤口を開閉可能に回動する開閉レバ３と、フック本体２に軸支して開閉レバ３の回動を制御する外れ止め金具４とを備え、開閉レバ３は、略逆Ｙ字形状を形成し、Ｙ字二股の一方に支軸３２１を備えて基端近傍に軸支し他方に別の支軸３２２を備えて外れ止め金具４が有する長孔４１に摺動可能に配設した基部３２と、Ｙ字二股から延びて鉤口を開閉する腕部３１とからなることを特徴とする。【選択図】図１
0003190041.tif 000002
【実用新案登録請求の範囲】
【請求項１】
先端に鉤部と基端に環状部を備えるフック本体と、前記フック本体の鉤口を開閉可能に回動する開閉レバと、前記フック本体に軸支して前記開閉レバの回動を制御する外れ止め金具とを備える墜落防止用フックであって、
前記開閉レバは、略逆Ｙ字形状を形成し、Ｙ字二股の一方に支軸を備えて前記基端近傍に軸支し他方に別の支軸を備えて前記外れ止め金具が有する長孔に摺動可能に配設した基部と、Ｙ字二股から延びて鉤口を開閉する腕部とからなることを特徴とする墜落防止用フック。
【請求項２】
前記開閉レバは、外側縁部が前記基部側から前記腕部側に向けて湾曲状又は屈曲状に形成されさらに複数の凹部を備えることを特徴とする請求項１に記載の墜落防止用フック。
【請求項３】
前記開閉レバは、前記Ｙ字二股が内側に湾曲した形状であって、前記フック本体の鉤口を開いた状態において、前記フック本体の前記環状部が備える孔を塞がない構成であることを特徴とする請求項１又は２に記載の墜落防止用フック。
【請求項４】
前記開閉レバは、前記腕部の外側縁先端近傍に凸部を備えることを特徴とする請求項１ないし３のいずれかに記載の墜落防止用フック。
【請求項５】
前記フック本体は、鍛造アルミからなることを特徴とする請求項１ないし４のいずれかに記載の墜落防止用フック。
【考案の詳細な説明】
【技術分野】
【０００１】
本考案は、建設工事現場等の高所で作業を行なう際に、作業者の墜落を防止する安全帯や安全ロープの先端に連結する墜落防止用フックに関する。
【背景技術】
【０００２】
建設工事現場等の高所作業においては、作業員が不安定な状態で作業することが多い。そのため、作業員が片手で所定の部材等に掛け止めすることができるフックを備えた安全帯や安全ロープが使用される。このような安全帯や安全ロープの先端に連結されるフックは、工事現場等に敷設される単管等に掛け止めし得るように形成した鈎部の下方開口部に、開閉レバを揺動可能な状態にして取り付け、開閉レバの揺動を、鈎部の背側に取り付けた外れ止め金具によって行なうように形成される。
【０００３】
従来、一般的に使用されているこのようなフックにおける鈎部は、建設現場等の足場として使用されることの多い単管を差し入れ得るフトコロを有するとともに、単管への掛け止めや取り外しを手早く行なえるようにするために、鈎部の先端が斜め下方方向を向いた形となるようにして開口部を形成した構成となっており、また、開口部には、基部側から先端に向けて直線状に延出した構成の開閉レバを揺動可能な状態にして配置させた構成となっており、単管に掛け止めたり、取り外したりする場合には、開閉レバの外縁部に四本の指を掛けてバネ付勢された開閉レバを引き寄せるという操作によって行なう。
【０００４】
しかし、基部側から先端に向けて一直線状に延びた開閉レバに四本の指先を掛けて引き寄せる場合、指を手一杯に広げて操作しなければならず、引き寄せる際に指先が下方側に滑り落ちるような状態となり、非常に操作しにくいだけでなく、外縁部が直線状となった開閉レバに四本の指先を掛けて引き寄せた場合、四本の指先が開閉レバの外側に大きく張り出した状態となり、単管に装着させたり、取り外したりする際に、指先が単管に接触してスムーズな装着や取り外し操作が出来ず、場合によっては、開閉レバを開いた状態にして指を移動させなければならず、迅速な作業の妨げとなる。
【０００５】
このような問題を解決するフックとして、特許発明又は考案としていくつか提案されている。例えば、特許文献１は、安全帯や安全ロープの先端に連結する安全フックにあって、工事現場等に敷設される単管等に掛け止める鈎部の下方開口部に、開閉レバを揺動可能な状態にして取り付け、開閉レバの外側縁部を、開閉レバの取り付け基部側から先端側に向けて湾曲状あるいは屈曲状となるよう形成した構成である。
【先行技術文献】
【特許文献】
【０００６】
【特許文献１】特開２００７―１１７５７３号公報
【考案の概要】
【考案が解決しようとする課題】
【０００７】
確かに、特許文献１に係るフックは、従来の構成のものにみられた使用勝手の悪さを解消するとともに、安全帯や安全ロープの装着や取り外しを手際良く迅速に行なえる構成となっている。ところが、特許文献１に係る発明技術でも未だ下記の問題があった。第１に、建設現場においては、フックを単管等に取り付ける際、叩き掛けという乱暴なフックの取り扱いが少なからずあり、フックが叩き掛けされると、強い衝撃がフック本体と外れ止め金具との噛み合わせに加わり、変形しかねない。第２に、高所作業において墜落の危険性は、フックの取付け時よりも取外し時の方が高いことから、開閉レバと外し止め金具の操作における安全性をより配慮した構成とすることが求められる。
【０００８】
本考案は、このような問題に鑑み、叩き掛け等の乱暴な取り扱いにも耐えられる強靭かつ軽量な構成で、使用勝手がよく安全な墜落防止用フックを提案することを課題とする。
【課題を解決するための手段】
【０００９】
本考案に係る墜落防止用フックは、先端に鉤部と基端に環状部を備えるフック本体と、フック本体の鉤口を開閉可能に回動する開閉レバと、フック本体に軸支して開閉レバの回動を制御する外れ止め金具とを備え、開閉レバは、略逆Ｙ字形状を形成し、Ｙ字二股の一方に支軸を備えて基端近傍に軸支し他方に別の支軸を備えて外れ止め金具が有する長孔に摺動可能に配設した基部と、Ｙ字二股から延びて鉤口を開閉する腕部とからなる、ことを特徴とする。
【００１０】
また、開閉レバは、外側縁部が前記基部側から前記腕部側に向けて湾曲状又は屈曲状に形成されさらに、手指が収まるよう複数の凹部を備えるとよい。さらに、開閉レバは、Ｙ字二股が内側に湾曲した形状であって、フック本体の鉤口を開いた状態において、フック本体の前記環状部の孔を塞がないような形状にすると都合がよい。またさらに、開閉レバは、腕部の外側縁部先端近傍に凸部を備えることにより、使用者の指がすべることを防止するようにしてもよい。なお、フック本体と開閉レバと外し止め金具とは、鋳造アルミからなるようにすれば、軽量かつ強靭なフックを実現することができる。
【考案の効果】
【００１１】
本考案に係る安全帯や安全ロープの先端に連結するフック本体は、上記のような構成であって、フック本体を単管に掛け止めたり、取り外したりする場合、開閉レバの湾曲部や屈折部の凹部に指先を掛けて操作できるため、従来のもののように指を手一杯広げて握る必要がないため、非常に握り易く、また、握った際に指が下方側に向って滑り落ちるということがなくなり、単管への装着や取り外しを手際よく迅速に行ない得る。また、開閉レバに指先を掛けて握った場合、指先が開閉レバに形成された湾曲部や屈折部の凹部に沈み込んだ状態となるため、単管への装着や取り外しの際、指先が単管に接触するようなことがなく、単管への装着や取り外しを手際よく迅速に行ない得る。
【００１２】
さらに、開閉レバを上記のような構成にすれば、強い衝撃がフック本体と外れ止め金具との噛み合わせに加わったとしても、変形しにくい強靭な構造となる。
【００１３】
またさらに、フック本体と開閉レバと外し止め金具とを鋳造アルミからなるようにすれば、軽量かつ強靭なフックを実現することができ、高所作業者の作業負担を軽減できる。
【図面の簡単な説明】
【００１４】
【図１】本考案に係るフックの一例を示す概略正面図である。
【図２】図１に係るフックの開閉レバの構成を示す概略正面図である。
【図３】本考案に係るフックの鉤口が開いた状態を示す概略正面図である。
【図４】本考案に係るフックの開閉操作を示す図である。
【考案を実施するための形態】
【００１５】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１６】
実施例１を図面を参照して詳細に説明する。図１は、本考案に係るフックの一例を示す概略正面図である。図２は、図１に係るフックの開閉レバの構成を示す概略正面図である。図３は、本考案に係るフックの鉤口が開いた状態を示す概略正面図である。図４は、本考案に係るフックの開閉操作を示す図である。
【００１７】
まず、図１を参照しながら、フック１の全体構成を説明する。フック１は、フック本体２と、開閉レバ３と、外れ止め金具４とからなる。フック本体２は、先端に鉤部２１と基端に環状部２２を備える。開閉レバ３は、フック本体２の環状部２２近傍に軸支されて、フック本体２の鉤部２１の下方開口部に、フック本体２の鉤口を開閉可能に回動可能な状態にして取り付けられる。また、外れ止め金具４は、フック本体２の鉤部２１の背側の略中央に軸支して開閉レバ３の回動を制御する構成となっている。なお、フック本体２を鍛造アルミ製で、開閉レバ３と外れ止め金具４をアルミ製とすれば、軽量で強靭なフックが実現するので好適である。
【００１８】
次に、フック本体２を説明すると、鈎部２１は、建設現場等で足場の構成部材として使用されることの多い単管Ｐ（図示しない）に掛け止め装着させ得るフトコロ部を有するとともに、斜め下方側から単管Ｐを挿入させる開口部が形成され、また、環状部２２には、安全ベルトや安全ロープを連結させるための孔２３が形成されている。
【００１９】
開閉レバ３は、鉤部２１に形成した下方開口部に、差し渡し状にして配置させ得る長さに設定され、開閉レバ３の外側縁には、基部側から先端に向けて湾曲状あるは屈曲状になる外側縁部３０が形成されていて、開閉レバ３の外側縁部３０に使用者が指先を掛けた場合、指先がその外側縁部３０に沈み込む構成となっている。また、開閉レバ３は、バネを組み込んで支軸３２１を差し入れることによって、鉤部２１に対して揺動可能な状態として取り付けられ、常時はバネによって、鉤部２１の開口部を閉鎖した状態となるように構成される。
【００２０】
外れ止め金具４は、鉤部２１の背側に位置させるとともに、バネを組み込んで支軸４２１を差し入れて、フック本体２の背側略中央に軸支することによって、鉤部２１に対して揺動可能な状態にして取り付けられ、常時はバネによって、フック本体２の背部外側方向に付勢された構成となっている。また、外れ止め金具４は、その下方側に長孔４１を形成し、長孔４１に開閉レバ３の支軸３２２が取り付けられ、図１に示すとおり、支軸３２２は、常時は長孔４１の屈折部分に入り込み、開閉レバ３をロック状態にする一方、使用に際して外れ止め金具４を握り締めた場合、後述するとおり、支軸３２２が屈折部分から外れて長孔４１の略円弧部分に移行し、それによって、開閉レバ３のロック状態が解除されて、開閉レバ３を開け得る構成となっている。このように、開閉レバ３のロック状態が解除されると、図３に示すとおり、フック１の鉤口が開かれた状態となる。
【００２１】
次に、図２を参照して、開閉レバ３の構成について詳細に説明する。図２に示すとおり、開閉レバ３は、略逆Ｙ字形状を形成していて、いわばジェット機を上から見たような形状となっており、鉤部２１に向かって伸びる腕部３１と、Ｙ字二股の基部３２とを備える。Ｙ字二股の基部３２の一方に支軸３２１を備えて、フック本体２の環状部２２の孔３２１の上方近傍に軸支し、他方に別の支軸３２２を外れ止め金具４が有する長孔４１に摺動可能に軸支している。
【００２２】
また、開閉レバ３の外側縁部３０は、前述したとおり、基部側から先端側に向けて湾曲状あるは屈曲状に形成されており、凹部３０１、３０２、３０３、３０４を備えている。開閉レバ３の外側縁部３０に使用者が指先を掛けた場合、人差し指の指先が凹部３０１に、中指の指先が凹部３０２に、薬指の指先が凹部３０３に、小指の指先が凹部３０４に沈み込む構成となっており、指の滑りを防止する。なお、凹部の数は四つに限定されず、所望の凹部を備えてよい。また、外側縁部３０の先端側に凸部３１０を構成すれば、なお一層の指の滑り防止効果が増加する。
【００２３】
図４を参照して、フック１の開閉の操作の様子を説明する。図４（ａ）はフック１の鉤口が閉じた状態で、（ｂ）は鉤口が開いた状態を示している。図４（ａ）を参照すると、使用者がフック１を掴むように持つと、開閉レバ３に使用者の人差し指の指先が凹部３０１に、中指の指先が凹部３０２に、薬指の指先が凹部３０３に、小指の指先が凹部３０４にかかる。使用者はフック１を掴むと、外れ止め金具４がフック本体２に対して矢印Ａ方向に搖動する。そうすると、長孔４１に嵌められた開閉レバ３の支軸３２２が矢印Ｂ方向に移動して、開閉レバ３のロック状態が解除される。開閉レバ３のロック状態が解除された状態で、使用者がフック１を掴めば、開閉レバ３は矢印Ｃ方向に負荷され、支軸３２１を中心にして支軸３２２が矢印Ｄ方向に摺動する。その結果、図４（ｂ）に示すフック１の鉤口が開いた状態となる。
【００２４】
以上、本考案に係る墜落防止用フックにおける好ましい実施形態を図示して説明してきたが、本考案の技術的範囲を逸脱することなく種々の変更が可能であることは理解されるであろう。
【産業上の利用可能性】
【００２５】
本考案に係る墜落防止用フックは、重量が軽く、値ごろ感があって手軽に購入が可能で、作業時の負担が軽減されるため、装着率の向上を促すことにより墜落事故の減少にもつながり、事故における死傷率の大幅な削減に貢献する用具として広く利用することができる。
【符号の説明】
【００２６】
１  フック
２  フック本体
３  開閉レバ
４  外れ止め金具
２１  鉤部
２２  環状部
２３  孔
３０  外側縁部
３１  腕部
３２  基部
３０１  ３０２  ３０３  ３０４ 凹部
３１０  凸部
４１  長孔
３２１  ３２２  ４２１  支軸
Ｐ  単管
【図１】
0003190041.tif 000003
【図２】
0003190041.tif 000004
【図３】
0003190041.tif 000005
【図４】
0003190041.tif 000006